(57)【要約】      （修正有）【課題】光軸の折り曲げや一部のレンズ群の光軸外への待避を行わずに、適度なズーム比確保でき、小型化、光学性能の確保に有利なズームレンズとそれを用いた撮像装置を提供する。【解決手段】負の第１群Ｇ１、正の第２群Ｇ２、正又は負の第３群Ｇ３の３つのレンズ群で構成され、第１群と第２群との間隔が変倍時に変化し、第２群と第３群との間隔が合焦動作時に変化するズームレンズであり、広角側に対して望遠側にて、第１群と第２群との間隔が狭くなるように、第２群、第３群が広角端から望遠端への変倍時に物体側にのみ移動し、第２群は正レンズと負レンズを備え、２枚又は３枚のレンズから構成され、光軸上にてそれぞれのレンズが接合された接合レンズで構成され、第３群は１枚のレンズからなり、第２群内の接合レンズの光軸上での肉厚と各レンズ群の光軸上の厚さを加算した値との比に関する特定の条件式を満足する。【選択図】図１
2007133133.tif 000002
【特許請求の範囲】
【請求項１】
物体側より順に、負屈折力の第１レンズ群、正屈折力の第２レンズ群、正又は負屈折力の第３レンズ群の３つのレンズ群で構成され、前記第１レンズ群と前記第２レンズ群との間隔が変倍時に変化し、前記第２レンズ群と前記第３レンズ群との間隔が合焦動作時に変化するズームレンズであって、
広角端状態に対して望遠端状態にて、前記第１レンズ群と前記第２レンズ群との間隔が狭くなるように、少なくとも前記第２レンズ群、前記第３レンズ群が広角端から望遠端への変倍時に物体側にのみ移動し、
前記第２レンズ群は、正レンズと負レンズを備え、２枚若しくは３枚のレンズから構成され、かつ、光軸上にてそれぞれのレンズが接合された接合レンズで構成され、
前記第３レンズ群は１枚のレンズからなり、
以下の条件式（１）を満足することを特徴とするズームレンズ。
０．４＜Ｄce／Ｄ123G＜０．６                                  ・・・（１）
ただし、Ｄce：第２レンズ群内の接合レンズの光軸上での肉厚、
Ｄ123G：各レンズ群の光軸上の厚さを加算した値、
である。
【請求項２】
前記第３レンズ群のみがフォーカシング時に移動することを特徴とする請求項１記載のズームレンズ。
【請求項３】
変倍時に前記第２レンズ群と前記第３レンズ群との間隔が変化することを特徴とする請求項１又は２記載のズームレンズ。
【請求項４】
前記第１レンズ群が変倍時に往復移動することを特徴とする請求項１から３の何れか１項記載のズームレンズ。
【請求項５】
前記第１レンズ群は、物体側から順に、負レンズ、正レンズの２枚のレンズからなることを特徴とする請求項１から４の何れか１項記載のズームレンズ。
【請求項６】
以下の条件式（２）を満足することを特徴とする請求項１から５の何れか１項記載のズームレンズ。
−０．００５＜（Ｄ2 （ｔ）−Ｄ2 （ｗ））／ｆw ＜０．５        ・・・（２）
ただし、Ｄ2 （ｗ）：広角端における第２レンズ群と第３レンズ群との光軸上での空気間隔、
Ｄ2 （ｔ）：望遠端における第２レンズ群と第３レンズ群との光軸上での空気間隔、
ｆw ：ズームレンズの広角端状態での焦点距離、
である。
【請求項７】
前記第２レンズ群は、物体側から順に、正レンズ、負レンズ、正レンズの３枚のレンズにて構成された１つの接合レンズからなることを特徴とする請求項１から６の何れか１項記載のズームレンズ。
【請求項８】
以下の条件式（３）を満足することを特徴とする請求項１から７の何れか１項記載のズームレンズ。
１．２＜Ｃj （ｔ）／ｆt ＜１．８                              ・・・（３）
ただし、Ｃj （ｔ）：望遠端における第１レンズ群の入射面から像面までの距離、
ｆt ：ズームレンズの望遠端での焦点距離、
である。
【請求項９】
前記第３レンズ群はフォーカシングのために移動し、前記第３レンズ群が以下の条件式（４）を満足する正レンズであることを特徴とする請求項１から８の何れか１項記載のズームレンズ。
３．０＜ｆ3 ／ｆw ＜１５．０                                  ・・・（４）
ただし、ｆ3 ：第３レンズ群の焦点距離、
ｆw ：ズームレンズの広角端状態での焦点距離、
である。
【請求項１０】
前記第３レンズ群はフォーカシングのために移動し、前記第３レンズ群が以下の条件式（５）を満足する負レンズであることを特徴とする請求項１から８の何れか１項記載のズームレンズ。
１．５＜｜ｆ3 ／ｆw ｜＜１５．０                              ・・・（５）
ただし、ｆ3 ：第３レンズ群の焦点距離、
ｆw ：ズームレンズの広角端状態での焦点距離、
である。
【請求項１１】
前記第３レンズ群が以下の条件式（６）を満足する正レンズであることを特徴とする請求項１から９の何れか１項記載のズームレンズ。
０．０３＜Ｄ3G／ｆt ＜０．０９                                ・・・（６）
ただし、Ｄ3G：第３レンズ群の軸上での肉厚、
ｆt ：ズームレンズの望遠端状態での焦点距離、
である。
【請求項１２】
前記第３レンズ群が以下の条件式（７）を満足する負レンズであることを特徴とする請求項１から８、１０の何れか１項記載のズームレンズ。
０．０１＜Ｄ3G／ｆt ＜０．０９                                ・・・（７）
ただし、Ｄ3G：第３レンズ群の軸上での肉厚、
ｆt ：ズームレンズの望遠端状態での焦点距離、
である。
【請求項１３】
前記第３レンズ群はフォーカシングのために移動し、前記第３レンズ群が以下の条件式（Ｂ−１）を満足する正レンズであることを特徴とする請求項１から９、１１の何れか１項記載のズームレンズ。
０．３５＜１−β3T2 ＜０．９８                            ・・・（Ｂ−１）
ただし、β3T：第３レンズ群の望遠端での横倍率、
である。
【請求項１４】
前記第３レンズ群はフォーカシングのために移動し、前記第３レンズ群が以下の条件式（Ｂ−２）を満足する負レンズであることを特徴とする請求項１から８、１０、１２の何れか１項記載のズームレンズ。
−３．５＜１−β3T2 ＜−０．６                            ・・・（Ｂ−２）
ただし、β3T：第３レンズ群の望遠端での横倍率、
である。
【請求項１５】
以下の条件を満足することを特徴とする請求項１から１４の何れか１項記載のズームレンズ。
２．５≦ｆt ／ｆw ＜５．５                                    ・・・（Ａ）
ただし、ｆt ：ズームレンズの望遠端状態での焦点距離、
ｆw ：ズームレンズの広角端状態での焦点距離、
である。
【請求項１６】
前記第２レンズ群の直前に配されると共に、変倍の際に前記第２レンズ群と一体で移動する明るさ絞りを有することを特徴とする請求項１から１５の何れか１項記載のズームレンズ。
【請求項１７】
請求項１から１６の何れか１項記載のズームレンズと、前記ズームレンズの像側に配され、光学像を電気信号に変換する撮像素子とを備えたことを特徴とする撮像装置。
【発明の詳細な説明】
【技術分野】
【０００１】
本発明は、ズームレンズ及びそれを備えた撮像装置に関し、特に、屈折力配置が負、正、正若しくは負、正、負タイプのズームレンズとそれを備えた撮像装置に関するものである。
【背景技術】
【０００２】
近年、デジタルスチルカメラの小型化や、携帯電話への撮像機能搭載化が進み、撮像レンズもより一層の小型化、薄型化が求められている。
【０００３】
これらの撮影レンズには、広角端から望遠端での変倍比が２．５倍を越えるズーム倍率が望まれている。
【０００４】
このような薄型のズームレンズを実現するために、ズームレンズ中に反射部材を用いて光軸を垂直方向に折り曲げる方式や、ズームレンズを構成する一部のレンズ群を光軸外へ待避させる方式のズームレンズが知られている。
【０００５】
しかし、反射部材を用いて折り曲げる方式は、光線を折り曲げるためのスペースや、変倍比の確保のためのレンズ群を可動させるスペースが必要となる。そのため、これらのスペースはカメラ等の撮像装置の未使用時でもなくならないため、未使用時の撮像装置の体積の小型化には不利となる。また、光軸を折り曲げることで撮像装置内のレイアウトが制限される。
【０００６】
一方、未使用時にレンズ群の一部を待避させる方式では、レンズ群を待避させる機構を追加することになるため、光軸に対してレンズ群が偏心した際の影響を抑えることが難しい。また、レンズ群の一部を退避させるための退避駆動手段が必要となるので、未使用時の体積を抑え難く、コスト面でも不利となる。
【０００７】
また、通常の沈胴方式にて小型化を図ったズームレンズにおける各群のパワー配分のタイプとして、
負、正タイプのズームレンズ、
負、正、負タイプのズームレンズ、
負、正、正タイプのズームレンズ、
が知られている。
【０００８】
この中、負、正タイプのズームレンズは、レンズ群数が少ないので、レンズを直接保持する鏡枠の総厚みを小さくするのには有利である。しかしながら、変倍比を確保するためには第２レンズ群を等倍結像となる領域含んで移動させることとなる。そのため、第２レンズ群でフォーカシングを行おうとすると、画角の変動、フォーカシングのための移動量、移動方向の変化が大きくなり、第２レンズ群をフォーカス群には使用できない。したがって、フォーカシングに第１レンズ群を動かすかズームレンズ全体を動かすことになり、フォーカシング機構も含めた鏡枠全長の増大を招き、結果として薄型化や変倍比の確保に不利となる。
【０００９】
それに対して、負、正、負タイプのズームレンズ、負、正、正タイプのズームレンズは、フォーカシングを第３レンズ群にて行うことで全長の増大を抑えられる点で有利となる。
【００１０】
また、負、正、負タイプのズームレンズは、前玉径を小さくできる等、小型化に有利ではある。
【００１１】
また、負、正、正タイプのズームレンズでは、安定した光学性能を出しやすいといったメリットを有する。
【００１２】
負、正、正又は負、正、負タイプのズームレンズの中で、第３レンズ群が広角端に対して望遠端にて像側に動くかほとんど動かないタイプが一般的に知られている。しかし、このような移動方式では、望遠端での第３レンズ群の位置が像面から近い位置にあるため、第３レンズ群における軸外での光線が高くなりレンズの径の小型化に不利となる。また、フォーカス感度（フォーカスレンズが単位移動量だけ動くときの像面位置の移動量）も低くなりやすいため、必然的に第３レンズ群には強いパワーが要求されることになり、レンズの径との兼ね合いからレンズ肉厚も大きくなりやすい。
【００１３】
また、望遠端へのズーム時に第３レンズ群が物体側に動く例として、特許文献１、特許文献２、特許文献３の実施例３、４、特許文献４の実施例２に記載されたものが知られている。
【００１４】
しかしながら、特許文献３記載のズームレンズは、ズームレンズの全長が長く、また、各レンズ群の厚みも大きいため、沈胴させた状態での薄型化に不利な構成となっている。また、望遠端での第３レンズ群移動による十分なフォーカス駆動域が確保できていない。
【００１５】
また、特許文献１、特許文献２、特許文献４に記載のズームレンズは、変倍時に第２、第３レンズ群を一体で移動させて、フォーカシング時にのみ第３レンズ群を移動させるものであるが、何れもレンズ全長が長く、また、各レンズ群の厚みも大きいため薄型化に不利である。
【特許文献１】特開２０００−２８４１７７号公報、
【特許文献２】特開２００１−２４２３７８号公報、
【特許文献３】特許３，５１３，３６９号公報
【特許文献４】特許３，６０６，５４８号公報
【発明の開示】
【発明が解決しようとする課題】
【００１６】
本発明は従来技術のこのような問題点に鑑みてなされたものであり、その目的は、光軸の折り曲げや一部のレンズ群の光軸外への待避を行わずに、適度なズーム比確保でき、小型化、光学性能の確保に有利なズームレンズとそれを用いた撮像装置を提供することである。
【課題を解決するための手段】
【００１７】
本発明のズームレンズは、物体側より順に、負屈折力の第１レンズ群、正屈折力の第２レンズ群、正又は負屈折力の第３レンズ群の３つのレンズ群で構成され、前記第１レンズ群と前記第２レンズ群との間隔が変倍時に変化し、前記第２レンズ群と前記第３レンズ群との間隔が合焦動作時に変化するズームレンズであって、
広角端状態に対して望遠端状態にて、前記第１レンズ群と前記第２レンズ群との間隔が狭くなるように、少なくとも前記第２レンズ群、前記第３レンズ群が広角端から望遠端への変倍時に物体側にのみ移動し、
前記第２レンズ群は、正レンズと負レンズを備え、２枚若しくは３枚のレンズから構成され、かつ、光軸上にてそれぞれのレンズが接合された接合レンズで構成され、
前記第３レンズ群は１枚のレンズからなり、
以下の条件式（１）を満足することを特徴とするものである。
【００１８】
０．４＜Ｄce／Ｄ123G＜０．６                                  ・・・（１）
ただし、Ｄce：第２レンズ群内の接合レンズの光軸上での肉厚、
Ｄ123G：各レンズ群の光軸上の厚さを加算した値、
である。
【００１９】
以下に、本発明のズームレンズにおいて、上記構成をとる理由と作用を説明する。
【００２０】
上記の本発明は、共通で、物体側より順に、負屈折力の第１レンズ群、正屈折力の第２レンズ群、正又は負屈折力の第３レンズ群の３つのレンズ群で構成され、前記第１レンズ群と前記第２レンズ群との間隔が変倍時に変化し、前記第２レンズ群と前記第３レンズ群との間隔が合焦動作時に変化するズームレンズであって、
広角端状態に対して望遠端状態にて、前記第１レンズ群と前記第２レンズ群との間隔が狭くなるように、少なくとも前記第２レンズ群、前記第３レンズ群が広角端から望遠端への変倍時に物体側にのみ移動し、
前記第２レンズ群は、正レンズと負レンズを備え、２枚若しくは３枚のレンズから構成され、かつ、光軸上にてそれぞれのレンズが接合された接合レンズで構成され、
前記第３レンズ群は１枚のレンズからなり、
上記の条件式（１）を満足するものである。
【００２１】
つまり、第３レンズ群が望遠側への変倍時に物体側に動く構成としている。このように構成すると、第３レンズ群が変倍時に固定若しくは像側に動く場合に比べて、第３レンズ群の光線高を低くできる。そのため、第３レンズ群の径を小さくできる。
【００２２】
特に、第３レンズ群を１枚のレンズとしているため、最低限のシンプルな構成となり、沈胴時の小型化に有利となる。
【００２３】
そして、第２レンズ群を、正レンズと負レンズを備え、２枚若しくは３枚のレンズから構成され、かつ、光軸上にてそれぞれのレンズが接合された接合レンズとしている。このように、第２レンズ群に正レンズと負レンズを含めることで、第２レンズ群での収差発生を抑えやすいながら、少ないレンズ枚数の構成としている。そして、それらのレンズにて接合レンズを構成することで、第２レンズ群中の空気間隔をなくし、第２レンズ群自体の小型化、偏心による収差への影響の低減、第３レンズ群の移動範囲の確保に有利な構成としている。
【００２４】
また、第２レンズ群の構成を接合レンズのみとすることにより、第２レンズ群中の何れかのレンズの少なくとも一か所のみで保持すればよく、枠の厚みも薄くできるため、沈胴時の薄型化に有利となる。
【００２５】
そして、上述の条件式（１）を満足している。沈胴時の薄型化を確保しつつ生産時の歩留まりを良好にするためには、各群の光軸上の厚さを加算した値Ｄ123Gに対する第２レンズ群内の接合レンズの肉厚の比率がこの条件式（１）の範囲にあることが望ましい。
【００２６】
本来良好な像面湾曲収差を得るには第２レンズ群の肉厚の総和を大きくすることで、サジタル像面とメリジオナル像面との差を小さくすることが一般的である。また、第２レンズ群の構成長を確保することにより物体側の面で主に球面収差を補正し、像側の面で主に像面湾曲収差を補正することが一般的である。しかしながら、第２レンズ群の全長を長くしてしまうと全系沈胴時のコンパクト化が難しくなる。
【００２７】
一方、第２レンズ群内の各レンズの形状及び材質を工夫し収差バランスを取ることで、設計上の性能を維持しながら第２レンズ群の構成長を小さくすることは一応可能である。しかしながら、その場合、形状や厚みの誤差による光学性能への影響が敏感になる。そのため、製造誤差の許容範囲が小さくなる。
【００２８】
条件式（１）は、実質的に問題ない製造誤差の許容範囲を確保しつつ、第２レンズ群の構成長を小さくするための条件である。その条件式の下限の０．４を下回って小さくなると、接合レンズの肉厚が小さくなり、肉厚の製造誤差が球面収差と像面湾曲に影響し、光学性能の維持が難しくなる。上限の０．６を上回って大きくなると、全系の厚さに対して第２レンズ群の厚さが厚くなりすぎて沈胴時の薄型化が難しくなる。
【００２９】
なお、第３レンズ群をプラスチック単レンズにて構成して重量を減らすと、さらに好ましい。
【００３０】
そして、第３レンズ群のみの移動によりフォーカシングを行うことが好ましい。本発明では、第３レンズ群が望遠側程物体側に位置する。この場合、第３レンズ群におけるフォーカス感度が高くなり、第３レンズ群のパワーを緩められる。そのため、第３レンズ群の厚みを薄くすることができ、沈胴時の薄型化に有利となる。
【００３１】
また、第３レンズ群をフォーカス群とする場合、第３レンズ群がレンズ１枚のみであり、しかもレンズの重量が抑えられるので、駆動系を簡素化することができ、鏡枠の小型化に寄与する。
【００３２】
また、変倍時に第２レンズ群と第３レンズ群との間隔が変化する構成とすると、変倍時における像位置調整、変倍による収差変動の抑制に効果的である。
【００３３】
また、第１レンズ群が変倍時に往復移動する構成とすることにより、第１レンズ群に主たる像位置調整機能を持たせられる。
【００３４】
また、変倍時に第２、第３レンズ群間隔が変化する場合は、相互に移動量を調整することで、変倍による収差変動も抑えられる。
【００３５】
また、第１レンズ群が、物体側から順に、負レンズ、正レンズの２枚のレンズからなる構成とすることが好ましい。
【００３６】
このようい構成すると、第１レンズ群の主点を物体側寄りにして使用状態での小型化を行いつつ、色収差等の収差バランスを行いやすく構成できる。また、光学性能の維持と沈胴時の鏡枠の薄型化との両立に効果的である。
【００３７】
また、以下の条件式（２）を満足することが好ましい。
【００３８】
−０．００５＜（Ｄ2 （ｔ）−Ｄ2 （ｗ））／ｆw ＜０．５        ・・・（２）
ただし、Ｄ2 （ｗ）：広角端における第２レンズ群と第３レンズ群との光軸上での空気間隔、
Ｄ2 （ｔ）：望遠端における第２レンズ群と第３レンズ群との光軸上での空気間隔、
ｆw ：ズームレンズの広角端状態での焦点距離、
である。
【００３９】
この条件式（２）は、望遠端と広角端での第２、第３レンズ群間の差を広角端焦点距離で規定したものであり、像位置補正のしやすさと小型化とを両立するための条件式である。この条件式の下限の−０．００５を下回らないようにすると、第３レンズ群の位置調整による像面位置ズレの調整に必要とする間隔の確保がしやすくなる。また、第３レンズ群にてフォーカシングを行う場合、望遠端でのフォーカシングに必要な間隔の確保がしやすくなる。また、上限の０．５を上回らないようにすると、広角端での第１レンズ群の光線高が高くなることを抑え、前玉径の増大を抑えやすくなる。若しくは、望遠端での最終レンズである第３レンズ群の軸外光線高が高くなることを抑え、レンズ径の小型化に有利となる。
【００４０】
また、第３レンズ群を保持する保持枠を第２レンズ群の保持枠から軸を立てて保持を行う場合、軸の長さが第３レンズ群の移動量に従って長くなる。そのため、条件式（２）を満足させることで、沈胴時の薄型化を行いやすく構成できる。
【００４１】
また、第２レンズ群が、物体側から順に、正レンズ、負レンズ、正レンズの３枚のレンズにて構成された１つの接合レンズからなる構成とすることが好ましい。
【００４２】
このように構成することで、第２レンズ群での収差発生を抑えやすい正レンズ、負レンズ、正レンズの３枚のレンズとしながらも、第２レンズ群としては１つの接合レンズで構成することで、第２レンズ群自体の小型化や、第３レンズ群の移動範囲の確保に有利な構成となる。
【００４３】
さらには、接合レンズの入射側面を、光軸上にて正屈折力を持ち光軸から離れる程屈折力が小さくなる形状とすることで、第２レンズ群の正屈折力の確保、主点を物体側寄りにすることによる変倍比の確保を行いつつ、この面で発生しやすい球面収差補正に有利となる。
【００４４】
また、接合レンズの射出側面が、周辺程屈折力が小さくなる（正屈折力が弱くなるか負屈折力が強くなる）形状とすることで、像面湾曲の補正に有利となる。
【００４５】
また、接合レンズ中の負レンズのアッベ数が、接合レンズ中の何れかの正レンズのアッベ数よりも小さく、かつ、接合面が負レンズの凹面であり、負屈折力の接合面とすると、色収差の補正を良好に行うことができる。
【００４６】
つまり、接合レンズの物体側のレンズ面で主に球面収差を、真中の負レンズではその面形状よりも主にパワーとアッベ数のコントロールで色収差を、像面側のレンズ面で主に軸外収差のコントロールを実現できる。主ではないが、当然接合面での収差コントロールの効果もあるので、前記の主な効果と合わせて利用することが好ましい。
【００４７】
また、以下の条件式（３）を満足する構成とすることが好ましい。
【００４８】
１．２＜Ｃj （ｔ）／ｆt ＜１．８                              ・・・（３）
ただし、Ｃj （ｔ）：望遠端における第１レンズ群の入射面から像面までの距離、
ｆt ：ズームレンズの望遠端での焦点距離、
である。
【００４９】
この条件式（３）は、望遠端におけるズームレンズの全長を望遠端の焦点距離で規定したものであり、全長短縮により鏡筒の構成をより簡略にし得るようにするための条件である。条件式（３）の下限の１．２を下回らないようにすると、広角端状態での全長増大を抑えやすくなる。若しくは、所望の変倍比を得るのが容易となる。また、上限の１．８を上回らようにすると、鏡枠全長を抑えやすく、小型化に有利となる。
【００５０】
また、第３レンズ群がフォーカシングのために移動すると共に、第３レンズ群が以下の条件式（４）を満足する正レンズとすることが好ましい。
【００５１】
３．０＜ｆ3 ／ｆw ＜１５．０                                  ・・・（４）
ただし、ｆ3 ：第３レンズ群の焦点距離、
ｆw ：ズームレンズの広角端状態での焦点距離、
である。
【００５２】
この条件式（４）は、第３レンズ群の焦点距離をズームレンズの広角端での焦点距離にて規定したものである。本発明は、特に第３レンズ群の移動方式により、第３レンズ群の小型化に有利な構成としている。特に、この第３レンズ群をフォーカスレンズ群とする場合、他のフォーカシング方式と比べ、駆動機構の負担を軽減できる。また、本発明では、望遠端における第３レンズ群のフォーカス感度が大きくしやすいので、この第３レンズ群の屈折力が条件式（４）を満足するように適度に小さくでき、より小型化に有利となる。
【００５３】
条件式（４）の下限の３．０を下回らないようにすると、広角端での第１レンズ群での光線高を抑えやすく、前玉径（第１レンズ群）を小さくしやすくなる。若しくは、第３レンズ群での収差の影響を抑え、第３レンズ群の厚みの増大を抑え、鏡枠の薄型化に有利となる。条件式（４）の上限の１５．０を上回らないようにすると、フォーカシングにおける第３レンズ群の移動量を抑え、薄型化に有利となる。
【００５４】
また、第３レンズ群がフォーカシングのために移動すると共に、第３レンズ群が以下の条件式（５）を満足する負レンズとすることが好ましい。
【００５５】
１．５＜｜ｆ3 ／ｆw ｜＜１５．０                              ・・・（５）
ただし、ｆ3 ：第３レンズ群の焦点距離、
ｆw ：ズームレンズの広角端状態での焦点距離、
である。
【００５６】
この条件式（５）は、第３レンズ群の焦点距離をズームレンズの広角端での焦点距離にて規定したものである。本発明は、特に第３レンズ群の移動方式により、第３レンズ群の小型化に有利な構成としている。特に、この第３レンズ群を負レンズとすると、光学系の径方向の小型化に有利となる。そして、この第３レンズ群をフォーカスレンズ群とする場合、望遠端における第３レンズ群のフォーカス感度を大きくしやすいので、この第３レンズ群の屈折力が条件式（５）を満足するように適度に小さくでき、より小型化に有利となる。
【００５７】
条件式（５）の下限の１．５を下回らないようにすると、第３レンズ群における屈折力が抑えられ、収差への影響を低減しやすくなる。また、第３レンズ群の縁肉の厚みの増大を抑え、鏡枠の薄型化に有利となる。条件式（５）の上限の１５．０を上回らないようにすると、フォーカシングにおける第３レンズ群の移動量を抑え、薄型化に有利となる。
【００５８】
また、第３レンズ群が適度な厚みの肉厚の正レンズとなるように以下の条件式（６）を満足することが好ましい。
【００５９】
０．０３＜Ｄ3G／ｆt ＜０．０９                                ・・・（６）
ただし、Ｄ3G：第３レンズ群の軸上での肉厚、
ｆt ：ズームレンズの望遠端状態での焦点距離、
である。
【００６０】
条件式（６）の下限の０．０３を下回らないようにすることで、第３レンズ群に必要な正の屈折力の確保に有利となる。条件式（６）の上限の０．０９を上回らないようにすることで、第３レンズ群の軸上の厚みを抑え、沈胴時におけるズームレンズの小型化に有利となる。
【００６１】
また、第３レンズ群が適度な厚みの肉厚の負レンズとなるように以下の条件式（７）を満足することが好ましい。
【００６２】
０．０１＜Ｄ3G／ｆt ＜０．０９                                ・・・（７）
ただし、Ｄ3G：第３レンズ群の軸上での肉厚、
ｆt ：ズームレンズの望遠端状態での焦点距離、
である。
【００６３】
条件式（７）の下限の０．０１を下回らないようにすることで、第３レンズ群に必要な負レンズの強度の確保に有利となる。条件式（７）の上限の０．０９を上回らないようにすることで、第３レンズ群の軸上の厚みを抑え、沈胴時におけるズームレンズの小型化に有利となる。
【００６４】
また、第３レンズ群の移動によりフォーカシングを行う場合、第３レンズ群のフォーカス感度は、第３レンズ群の倍率に依存する。そこで、第３レンズ群が正レンズの場合、望遠端における第３レンズ群のフォーカス感度が適度になるように以下の条件式（Ｂ−１）を満足することが好ましい。
【００６５】
０．３５＜１−β3T2 ＜０．９８                            ・・・（Ｂ−１）
ただし、β3T：第３レンズ群の望遠端での横倍率、
である。
【００６６】
条件式（Ｂ−１）の下限の０．３５を下回らないようにすると、第３レンズ群の移動量が抑えられ、又は、フォーカス動作のためのスペースの増大を抑えられ、使用時におけるズームレンズ全体の小型化に有利となる。条件式（Ｂ−１）の上限の０．９８を上回らないようにすると、第３レンズ群での横倍率が小さく抑えられるので、結像面までの距離を抑えて小型化することに有利になる。
【００６７】
また、第３レンズ群が負レンズの場合、望遠端における第３レンズ群のフォーカス感度が適度になるように以下の条件式（Ｂ−２）を満足することが好ましい。
【００６８】
−３．５＜１−β3T2 ＜−０．６                            ・・・（Ｂ−２）
ただし、β3T：第３レンズ群の望遠端での横倍率、
である。
【００６９】
条件式（Ｂ−２）の下限の−３．５を下回らないようにすると、第３レンズ群での横倍率の絶対値が小さく抑えられるので、フォーカス感度が高くなりすぎることを抑え、フォーカシングの精度の確保に有利となる。条件式（Ｂ−２）の上限の−０．６を上回らないようにすると、フォーカス感度が確保できるので、フォーカス動作のための移動範囲を抑えられ、駆動機構の小型化に有利となる。
【００７０】
また、以下の条件式（Ａ）を満足する構成とすることが好ましい。
【００７１】
２．５≦ｆt ／ｆw ＜５．５                                    ・・・（Ａ）
ただし、ｆt ：ズームレンズの望遠端状態での焦点距離、
ｆw ：ズームレンズの広角端状態での焦点距離、
である。
【００７２】
この条件式（Ａ）は、ズームレンズの変倍比を規定するものである。本発明は、変倍比２．５倍以上の適度な変倍比のズームレンズとすると、全系のサイズと光学性能とのバランスがとりやすく好ましい。この条件式（Ａ）の下限の２．５を下回らないようにすると、一般的な使用での変倍比が満足される。条件式（Ａ）の上限の５．５を上回らないようにすると、収差の補正のためのレンズ枚数の増加を抑える等、低コスト化に有利となる。
【００７３】
また、第２レンズ群の直前に配されると共に、変倍の際に第２レンズ群と一体で移動する明るさ絞りを有する構成とすることが好ましい。
【００７４】
このような構成により、第１レンズ群の径の大型化を防ぐと共に、第３レンズ群から射出する軸外主光線を光軸と平行に近づけやすくなる。また、明るさ絞りの物体側には第２レンズ群がなく、明るさ絞りの像側に第２レンズ群のレンズが集中するので、第２レンズ群内のレンズ同士の相対偏心による収差劣化も抑えた構成にできる。また、明るさ絞りの移動機構も第２レンズ群と共有でき、構成の簡略化も容易に行える。
【００７５】
また、上述の本発明何れかのズームレンズと、その像側に配され、光学像を電気信号に変換する撮像素子とを備えることが好ましい。
【００７６】
本発明のズームレンズは、小型化、広角端での画角の確保に有利である。また、光線の撮像面への入射角も抑えやすく、色シェーディングの影響を低減できるので、上述の撮像素子を備えた撮像装置に使用することが好ましい。
【００７７】
上述の各構成は任意に複数を同時に満足してもよく、それにより、より良好な効果を得ることができる。
【００７８】
また、特定の構成に従属して記載した構成要件を他の構成に従属させた構成としてもよい。
【００７９】
また、各条件式についても任意に組み合わせて満足すれば、より良好な効果を得ることができる。
【００８０】
また、上述の効果をより良好とするため、各条件式について以下の構成とすることが好ましい、
条件式（１）について、製造誤差の影響と、第２レンズ群の構成長とのバランスをより良好とするために、下限値を０．４６、さらには、０．４８とするとより好ましい。
【００８１】
また、上限値を０．５５、さらには、０．５２とするとより好ましい。
【００８２】
条件式（２）について、下限値を０．０１、さらには、０．０３とするとより好ましい。
【００８３】
また、上限値を０．４、さらには、０．３５とするとより好ましい。
【００８４】
条件式（３）について、第３レンズ群が正レンズの場合、収差バランスと全長短縮とのバランスのためには、下限値を１．４  、さらには１．５とするとより好ましい。
【００８５】
また、上限値を１．７６、さらには１．７とするとより好ましい。
【００８６】
第３レンズ群が負レンズの場合、収差バランスと全長短縮とのバランスのためには、下限値を１．３、さらには、１．３５とするとより好ましい。
【００８７】
また、上限値を１．７、さらには、１．５とするとより好ましい。
【００８８】
条件式（４）について、下限値を３．４とするとより好ましい。
【００８９】
上限値を１０．０、さらには８．０とするとより好ましい。
【００９０】
条件式（５）について、下限値を１．８、さらには、２．０とするとより好ましい。
【００９１】
また、上限値を１０．０、さらには、７．０とするとより好ましい。
【００９２】
条件式（６）について、下限値を０．０４、さらには、０．０５とするとより好ましい。
【００９３】
また、上限値を０．０８４、さらには、０．０７７とするとより好ましい。
【００９４】
条件式（７）について、下限値を０．０２、さらには、０．０３とするとより好ましい。
【００９５】
また、上限値を０．０７、さらには、０．０５５とするとより好ましい。
【００９６】
条件式（Ａ）について、下限値を２．６、さらには２．７とするとより好ましい。
【００９７】
また、上限値を４．５、さらには３．５とするとより好ましい。
【発明の効果】
【００９８】
以上の本発明によると、光軸の折り曲げや一部のレンズ群の光軸外への待避を行わずに、適度なズーム比確保でき、小型化、光学性能の確保に有利なズームレンズとそれを用いた撮像装置を得ることができる。
【発明を実施するための最良の形態】
【００９９】
以下、本発明のズームレンズの実施例１〜１７について説明する。実施例１〜１７の無限遠物点合焦時の広角端（ａ）、中間状態（ｂ）、望遠端（ｃ）のレンズ断面図をそれぞれ図１〜図１７に示す。図中、第１レンズ群はＧ１、開口絞りはＳ、第２レンズ群はＧ２、第３レンズ群はＧ３、ＩＲカットコートを施したローパスフィルター等を構成する平行平板はＦ、電子撮像素子（ＣＣＤやＣＭＯＳ）のカバーガラスの平行平板はＣ、像面（電子撮像素子の受光面）はＩで示してある。なお、カバーガラスＧの表面に波長域制限用の多層膜を施してもよい。また、そのカバーガラスＧにローパスフィルター作用を持たせるようにしてもよい。
【０１００】
実施例１のズーム光学系は、図１に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は像側に移動する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１０１】
物体側から順に、第１レンズ群Ｇ１は、物体側に凸面を向けた負メニスカスレンズと、物体側に凸面を向けた正メニスカスレンズからなり、第２レンズ群Ｇ２は、両凸正レンズと像側に凸面を向けた負メニスカスレンズと像側に凸面を向けた正メニスカスレンズとの３枚接合レンズからなり、第３レンズ群Ｇ３は、両凹負レンズ１枚からなる。開口絞りＳは第２レンズ群Ｇ２の３枚接合レンズの最も物体側の面より像側に位置する。
【０１０２】
非球面は、第１レンズ群Ｇ１の正メニスカスレンズの両面、第２レンズ群Ｇ２の３枚接合レンズの最も物体側の面と最も像側の面、第３レンズ群Ｇ３の両凹負レンズの両面の６面に用いている。
【０１０３】
実施例２のズーム光学系は、図２に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は物体側に凹の軌跡を描いて移動し、望遠端では広角端の位置より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１０４】
物体側から順に、第１レンズ群Ｇ１は、両凹負レンズと、物体側に凸面を向けた正メニスカスレンズからなり、第２レンズ群Ｇ２は、両凸正レンズと像側に凸面を向けた負メニスカスレンズとの２枚接合レンズからなり、第３レンズ群Ｇ３は、像側の凸面を向けた負メニスカスレンズ１枚からなる。開口絞りＳは第２レンズ群Ｇ２の２枚接合レンズの最も物体側の面より像側に位置する。
【０１０５】
非球面は、第１レンズ群Ｇ１の両凹負レンズの像側の面、第２レンズ群Ｇ２の２枚接合レンズの最も物体側の面と最も像側の面の３面に用いている。
【０１０６】
実施例３のズーム光学系は、図３に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は物体側に凹の軌跡を描いて移動し、望遠端では広角端の位置より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１０７】
物体側から順に、第１レンズ群Ｇ１は、物体側に凸面を向けた負メニスカスレンズと、物体側に凸面を向けた正メニスカスレンズからなり、第２レンズ群Ｇ２は、両凸正レンズと像側に凸面を向けた負メニスカスレンズと像側に凸面を向けた正メニスカスレンズとの３枚接合レンズからなり、第３レンズ群Ｇ３は、両凹負レンズ１枚からなる。開口絞りＳは第２レンズ群Ｇ２の３枚接合レンズの最も物体側の面と同じ位置に位置する。
【０１０８】
非球面は、第１レンズ群Ｇ１の負メニスカスレンズの像側の面、第２レンズ群Ｇ２の３枚接合レンズの最も物体側の面と最も像側の面、第３レンズ群Ｇ３の両凹負レンズの両面の５面に用いている。
【０１０９】
実施例４のズーム光学系は、図４に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は物体側に凹の軌跡を描いて移動し、望遠端では広角端の位置より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１１０】
物体側から順に、第１レンズ群Ｇ１は、両凹負レンズと、物体側に凸面を向けた正メニスカスレンズからなり、第２レンズ群Ｇ２は、両凸正レンズと両凹負レンズと両凸正レンズとの３枚接合レンズからなり、第３レンズ群Ｇ３は、両凹負レンズ１枚からなる。開口絞りＳは第２レンズ群Ｇ２の３枚接合レンズの最も物体側の面より像側に位置する。
【０１１１】
非球面は、第１レンズ群Ｇ１の正メニスカスレンズの物体側の面、第２レンズ群Ｇ２の３枚接合レンズの最も物体側の面と最も像側の面、第３レンズ群Ｇ３の両凹負レンズの両面の５面に用いている。
【０１１２】
実施例５のズーム光学系は、図５に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は像側に移動する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦縮め次いで広げながら物体側に移動する。
【０１１３】
物体側から順に、第１レンズ群Ｇ１は、両凹負レンズと、物体側に凸面を向けた正メニスカスレンズからなり、第２レンズ群Ｇ２は、両凸正レンズと像側に凸面を向けた負メニスカスレンズと像側に凸面を向けた負メニスカスレンズとの３枚接合レンズからなり、第３レンズ群Ｇ３は、両凹負レンズ１枚からなる。開口絞りＳは第２レンズ群Ｇ２の３枚接合レンズの最も物体側の面より像側に位置する。
【０１１４】
非球面は、第１レンズ群Ｇ１の正メニスカスレンズの両面、第２レンズ群Ｇ２の３枚接合レンズの最も物体側の面と最も像側の面、第３レンズ群Ｇ３の両凹負レンズの両面の６面に用いている。
【０１１５】
実施例６のズーム光学系は、図６に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は像側に移動する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦広げ次いで縮めながら物体側に移動する。
【０１１６】
物体側から順に、第１レンズ群Ｇ１は、両凹負レンズと、物体側に凸面を向けた正メニスカスレンズからなり、第２レンズ群Ｇ２は、両凸正レンズと像側に凸面を向けた負メニスカスレンズと両凹負レンズとの３枚接合レンズからなり、第３レンズ群Ｇ３は、両凹負レンズ１枚からなる。開口絞りＳは第２レンズ群Ｇ２の３枚接合レンズの最も物体側の面より像側に位置する。
【０１１７】
非球面は、第１レンズ群Ｇ１の両凹負レンズの像側の面、第２レンズ群Ｇ２の３枚接合レンズの最も物体側の面と最も像側の面、第３レンズ群Ｇ３の両凹負レンズの両面の５面に用いている。
【０１１８】
実施例７のズーム光学系は、図７に示すように、物体側から順に、負屈折力の第１レンズ群Ｇ１、開口絞りＳ、正屈折力の第２レンズ群Ｇ２、負屈折力の第３レンズ群Ｇ３から構成されており、広角端から望遠端への変倍をする際に、第１レンズ群Ｇ１は物体側に凹の軌跡を描いて移動し、望遠端では中間状態より若干物体側であって広角端の位置より像側の位置に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦縮め次いで広げながら物体側に移動する。
【０１１９】
物体側から順に、第１レンズ群Ｇ１は、両凹負レンズと、物体側に凸面を向けた正メニスカスレンズからなり、第２レンズ群Ｇ２は、物体側に凸面を向けた正メニスカスレンズと物体側に凸面を向けた負メニスカスレンズと両凸正レンズとの３枚接合レンズからなり、第３レンズ群Ｇ３は、両凹負レンズ１枚からなる。開口絞りＳは第２レンズ群Ｇ２の３枚接合レンズの最も物体側の面より像側に位置する。
【０１２０】
非球面は、第１レンズ群Ｇ１の両凹負レンズの像側の面、第２レンズ群Ｇ２の３枚接合レンズの最も物体側の面と最も像側の面、第３レンズ群Ｇ３の両凹負レンズの両面の５面に用いている。
【０１２１】
実施例８のズーム光学系は、図８に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１２２】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、両凸正レンズ１枚からなる。開口絞りＳは第２レンズ群Ｇ２の３枚接合レンズの最も物体側の面より像側に位置する。
【０１２３】
非球面は、第１レンズ群Ｇ１の負メニスカスレンズの像側の面、第２レンズ群Ｇ２の３枚接合レンズの最も物体側の面と最も像側の面、第３レンズ群Ｇ３の両凸正レンズの物体側の面の４面に用いている。
【０１２４】
実施例９のズーム光学系は、図９に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１２５】
物体側から順に、第１レンズ群Ｇ１は、両凹負レンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１２６】
非球面は、第１レンズ群Ｇ１の両凹負レンズの像側の面、第２レンズ群Ｇ２の３枚接合レンズの最も物体側の面と最も像側の面、第３レンズ群Ｇ３の正メニスカスレンズの物体側の面の４面に用いている。
【０１２７】
実施例１０のズーム光学系は、図１０に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１２８】
物体側から順に、第１レンズ群Ｇ１は、両凹負レンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１２９】
非球面は、第１レンズ群Ｇ１の両凹負レンズの像側の面、第２レンズ群Ｇ２の３枚接合レンズの最も物体側の面と最も像側の面、第３レンズ群Ｇ３の正メニスカスレンズの物体側の面の４面に用いている。
【０１３０】
実施例１１のズーム光学系は、図１１に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では中間状態より若干物体側であって広角端の位置より像側の位置に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦広げ次いで縮めながら物体側に移動する。
【０１３１】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、両凸正レンズ１枚からなる。開口絞りＳは第２レンズ群Ｇ２の３枚接合レンズの最も物体側の面より像側に位置する。
【０１３２】
非球面は、第１レンズ群Ｇ１の負メニスカスレンズの像側の面と正メニスカスレンズの物体側の面、第２レンズ群Ｇ２の３枚接合レンズの最も物体側の面と最も像側の面、第３レンズ群Ｇ３の両凸正レンズの両面の６面に用いている。
【０１３３】
実施例１２のズーム光学系は、図１２に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１３４】
物体側から順に、第１レンズ群Ｇ１は、両凹負レンズと、物体側に凸面を向けた正メニスカスレンズからなり、第２レンズ群Ｇ２は、両凸正レンズと両凹負レンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１３５】
非球面は、第１レンズ群Ｇ１の両凹負レンズの像側の面、第２レンズ群Ｇ２の３枚接合レンズの最も物体側の面と最も像側の面の３面に用いている。
【０１３６】
実施例１３のズーム光学系は、図１３に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１３７】
物体側から順に、第１レンズ群Ｇ１は、両凹負レンズと、物体側に凸面を向けた正メニスカスレンズからなり、第２レンズ群Ｇ２は、両凸正レンズと両凹負レンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１３８】
非球面は、第１レンズ群Ｇ１の両凹負レンズの像側の面、第２レンズ群Ｇ２の３枚接合レンズの最も物体側の面と最も像側の面の３面に用いている。
【０１３９】
実施例１４のズーム光学系は、図１４に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦若干広げ次いで若干縮めながら物体側に移動する。
【０１４０】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと両凸正レンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１４１】
非球面は、第１レンズ群Ｇ１の正メニスカスレンズの両面、第２レンズ群Ｇ２の３枚接合レンズの最も物体側の面と最も像側の面の４面に用いている。
【０１４２】
実施例１５のズーム光学系は、図１５に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では中間状態より若干物体側であって広角端の位置より像側の位置に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦広げ次いで縮めながら物体側に移動する。
【０１４３】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１４４】
非球面は、第１レンズ群Ｇ１の正メニスカスレンズの両面、第２レンズ群Ｇ２の３枚接合レンズの最も物体側の面と最も像側の面、第３レンズ群Ｇ３の正メニスカスレンズの両面の６面に用いている。
【０１４５】
実施例１６のズーム光学系は、図１６に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を一旦縮め次いで広げながら物体側に移動する。
【０１４６】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１４７】
非球面は、第１レンズ群Ｇ１の負メニスカスレンズの像側の面、第２レンズ群Ｇ２の３枚接合レンズの最も物体側の面と最も像側の面、第３レンズ群Ｇ３の正メニスカスレンズの物体側の面の４面に用いている。
【０１４８】
実施例１７のズーム光学系は、図１７に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は物体側に凹の軌跡を描いて移動し、望遠端では広角端より像側に位置する。開口絞りＳと第２レンズ群Ｇ２は一体に第１レンズ群Ｇ１との間隔を縮めながら物体側に単調に移動する。第３レンズ群Ｇ３は第２レンズ群Ｇ２との間隔を広げながら物体側に移動する。
【０１４９】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた正メニスカスレンズと物体側に凸面を向けた負メニスカスレンズと物体側に凸面を向けた正メニスカスレンズとの３枚接合レンズからなり、第３レンズ群Ｇ３は、物体側に凸面を向けた正メニスカスレンズ１枚からなる。開口絞りＳは第２レンズ群Ｇ２の３枚接合レンズの最も物体側の面より像側に位置する。
【０１５０】
非球面は、第１レンズ群Ｇ１の負メニスカスレンズの像側の面、第２レンズ群Ｇ２の３枚接合レンズの最も物体側の面と最も像側の面、第３レンズ群Ｇ３の正メニスカスレンズの物体側の面の４面に用いている。
【０１５１】
以下に、上記各実施例の数値データを示すが、記号は上記の外、ｆは全系焦点距離、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１５２】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。
【０１５３】
実施例１
ｒ1 =    51.789             ｄ1 =  0.70     ｎd1 =1.88300 νd1 =40.76 
ｒ2 =     5.837             ｄ2 =  1.71     
ｒ3 =    13.554 （非球面）  ｄ3 =  1.47     ｎd2 =1.82114 νd2 =24.06 
ｒ4 =    75.183 （非球面）  ｄ4 = （可変）  
ｒ5 =     ∞（絞り）        ｄ5 = -0.72     
ｒ6 =     3.826 （非球面）  ｄ6 =  3.00     ｎd3 =1.49700 νd3 =81.54 
ｒ7 =   -19.669             ｄ7 =  0.50     ｎd4 =1.92286 νd4 =18.90 
ｒ8 =  -133.221             ｄ8 =  1.09     ｎd5 =1.69350 νd5 =53.21 
ｒ9 =   -23.946 （非球面）  ｄ9 = （可変）  
ｒ10=   -68.471 （非球面）  ｄ10=  0.80     ｎd6 =1.52542 νd6 =55.78 
ｒ11=     7.284 （非球面）  ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.41     
ｒ16=     ∞（像面）        
非球面係数
第３面
Ｋ  =  0.000
Ａ4 = -2.90406×10-4
Ａ6 = -2.19067×10-5
Ａ8 =  1.93834×10-6
Ａ10= -3.55926×10-8
第４面
Ｋ  =  0.000
Ａ4 = -6.25636×10-4
Ａ6 = -1.55735×10-5
Ａ8 =  1.40541×10-6
Ａ10= -3.74784×10-8
第６面
Ｋ  =  0.000
Ａ4 = -3.84634×10-4
Ａ6 = -1.86499×10-5
Ａ8 =  9.97230×10-6
Ａ10= -5.98509×10-7
第９面
Ｋ  =  0.000
Ａ4 =  3.29823×10-3
Ａ6 =  2.17032×10-4
Ａ8 = -1.07505×10-5
Ａ10=  8.77866×10-6
第１０面
Ｋ  =  0.000
Ａ4 =  9.19324×10-4
Ａ6 = -7.15668×10-4
Ａ8 =  2.38646×10-4
Ａ10= -2.14848×10-5
第１１面
Ｋ  =  0.000
Ａ4 =  1.04459×10-3
Ａ6 = -5.99256×10-4
Ａ8 =  2.45269×10-4
Ａ10= -2.50329×10-5
ズームデータ（∞）
ＷＥ            ＳＴ            ＴＥ
ｆ (mm)             6.795          11.618          19.666 
ＦNO                3.43            4.34            5.81  
ｄ4                14.53            6.17            1.12  
ｄ9                 1.97            2.41            3.21  
ｄ11                5.80            8.08           11.34                    。
【０１５４】
実施例２
ｒ1 =   -68.489             ｄ1 =  1.00     ｎd1 =1.80610 νd1 =40.92 
ｒ2 =     4.409 （非球面）  ｄ2 =  1.19     
ｒ3 =     8.039             ｄ3 =  1.67     ｎd2 =2.00069 νd2 =25.46 
ｒ4 =    23.572             ｄ4 = （可変）  
ｒ5 =     ∞（絞り）        ｄ5 = -0.50     
ｒ6 =     3.689 （非球面）  ｄ6 =  3.79     ｎd3 =1.49700 νd3 =81.54 
ｒ7 =   -10.025             ｄ7 =  1.00     ｎd4 =1.84666 νd4 =23.78 
ｒ8 =   -28.095 （非球面）  ｄ8 = （可変）  
ｒ9 =    -4.148             ｄ9 =  0.80     ｎd5 =1.88300 νd5 =40.76 
ｒ10=    -5.287             ｄ10= （可変）  
ｒ11=     ∞                ｄ11=  0.50     ｎd6 =1.51633 νd6 =64.14 
ｒ12=     ∞                ｄ12=  0.50     
ｒ13=     ∞                ｄ13=  0.50     ｎd7 =1.51633 νd7 =64.14 
ｒ14=     ∞                ｄ14=  0.59     
ｒ15=     ∞（像面）        
非球面係数
第２面
Ｋ  = -0.549
Ａ4 = -1.09327×10-4
Ａ6 = -1.43880×10-5
Ａ8 =  1.34815×10-7
Ａ10= -5.73863×10-9
第６面
Ｋ  = -0.795
Ａ4 =  1.48463×10-3
Ａ6 =  3.05264×10-5
Ａ8 =  1.15726×10-5
Ａ10= -1.32653×10-7
第８面
Ｋ  =  0.000
Ａ4 =  2.40186×10-3
Ａ6 =  2.76882×10-4
Ａ8 = -3.25134×10-5
Ａ10=  9.56196×10-6
ズームデータ（∞）
ＷＥ            ＳＴ            ＴＥ
ｆ (mm)             6.276          10.701          18.198 
ＦNO                3.25            4.16            5.74  
ｄ4                11.19            4.99            1.50  
ｄ8                 3.56            4.37            4.93  
ｄ10                4.21            6.63           11.70                    。
【０１５５】
実施例３
ｒ1 = 14898.846             ｄ1 =  1.00     ｎd1 =1.88300 νd1 =40.76 
ｒ2 =     6.423 （非球面）  ｄ2 =  2.11     
ｒ3 =    10.315             ｄ3 =  1.30     ｎd2 =1.92286 νd2 =20.88 
ｒ4 =    20.902             ｄ4 = （可変）  
ｒ5 =     ∞（絞り）        ｄ5 =  0.00     
ｒ6 =     4.307 （非球面）  ｄ6 =  3.06     ｎd3 =1.49700 νd3 =81.54 
ｒ7 =    -7.020             ｄ7 =  0.50     ｎd4 =1.67270 νd4 =32.10 
ｒ8 =  -100.000             ｄ8 =  1.27     ｎd5 =1.58913 νd5 =61.14 
ｒ9 =   -15.900 （非球面）  ｄ9 = （可変）  
ｒ10=   -20.236 （非球面）  ｄ10=  1.00     ｎd6 =1.69350 νd6 =53.21 
ｒ11=    20.000 （非球面）  ｄ11= （可変）  
ｒ12=     ∞                ｄ12=  0.91     ｎd7 =1.53996 νd7 =59.45 
ｒ13=     ∞                ｄ13=  0.28     
ｒ14=     ∞                ｄ14=  0.53     ｎd8 =1.51633 νd8 =64.14 
ｒ15=     ∞                ｄ15=  0.59     
ｒ16=     ∞（像面）        
非球面係数
第２面
Ｋ  =  0.000
Ａ4 = -2.21409×10-4
Ａ6 =  1.77359×10-6
Ａ8 = -8.59542×10-7
Ａ10=  2.17513×10-8
第６面
Ｋ  =  0.000
Ａ4 = -5.81631×10-4
Ａ6 =  7.05939×10-6
Ａ8 =  7.18180×10-7
Ａ10=  7.05689×10-8
第９面
Ｋ  =  0.000
Ａ4 =  1.51118×10-3
Ａ6 =  1.78503×10-4
Ａ8 = -1.96850×10-5
Ａ10=  2.82432×10-6
第１０面
Ｋ  = -309.655
Ａ4 = -1.11996×10-2
Ａ6 =  1.06613×10-3
Ａ8 = -1.64863×10-4
Ａ10=  1.16951×10-5
第１１面
Ｋ  =  0.000
Ａ4 = -5.95012×10-3
Ａ6 =  2.46173×10-4
Ａ8 = -1.14677×10-5
Ａ10=  1.07814×10-6
ズームデータ（∞）
ＷＥ            ＳＴ            ＴＥ
ｆ (mm)             6.810          11.619          19.820 
ＦNO                2.85            3.78            5.37  
ｄ4                10.21            4.20            0.66  
ｄ9                 5.91            5.95            6.02  
ｄ11                1.41            4.34            9.31                    。
【０１５６】
実施例４
ｒ1 =   -31.828             ｄ1 =  0.70     ｎd1 =1.88300 νd1 =40.76 
ｒ2 =     7.165             ｄ2 =  0.78     
ｒ3 =     9.148 （非球面）  ｄ3 =  1.52     ｎd2 =1.84666 νd2 =23.78 
ｒ4 =    33.352             ｄ4 = （可変）  
ｒ5 =     ∞（絞り）        ｄ5 = -0.18     
ｒ6 =     4.692 （非球面）  ｄ6 =  1.67     ｎd3 =1.67790 νd3 =55.34 
ｒ7 =   -12.027             ｄ7 =  0.50     ｎd4 =2.00069 νd4 =25.46 
ｒ8 =    77.997             ｄ8 =  2.59     ｎd5 =1.58313 νd5 =59.38 
ｒ9 =   -55.116 （非球面）  ｄ9 = （可変）  
ｒ10=   -30.436 （非球面）  ｄ10=  0.80     ｎd6 =1.50913 νd6 =56.20 
ｒ11=    23.726 （非球面）  ｄ11= （可変）  
ｒ12=     ∞                ｄ12=  0.84     ｎd7 =1.53996 νd7 =59.45 
ｒ13=     ∞                ｄ13=  0.26     
ｒ14=     ∞                ｄ14=  0.49     ｎd8 =1.51633 νd8 =64.14 
ｒ15=     ∞                ｄ15=  0.59     
ｒ16=     ∞（像面）        
非球面係数
第３面
Ｋ  =  0.000
Ａ4 =  1.15680×10-4
Ａ6 = -1.45503×10-5
Ａ8 =  1.52852×10-6
Ａ10= -4.11662×10-8
第６面
Ｋ  =  0.000
Ａ4 = -1.51567×10-4
Ａ6 =  5.06933×10-5
Ａ8 = -3.20524×10-6
Ａ10=  3.54327×10-7
第９面
Ｋ  =  0.000
Ａ4 =  2.49728×10-3
Ａ6 =  2.38997×10-4
Ａ8 = -1.91765×10-5
Ａ10=  5.71179×10-6
第１０面
Ｋ  =  0.000
Ａ4 = -5.74352×10-3
Ａ6 = -5.59898×10-4
Ａ8 =  1.35762×10-4
Ａ10= -3.60148×10-6
第１１面
Ｋ  =  0.000
Ａ4 = -5.41979×10-3
Ａ6 = -2.65317×10-4
Ａ8 =  7.68566×10-5
Ａ10= -1.65036×10-6
ズームデータ（∞）
ＷＥ            ＳＴ            ＴＥ
ｆ (mm)             6.809          11.596          19.747 
ＦNO                3.34            4.26            5.90  
ｄ4                10.75            4.21            0.58  
ｄ9                 5.22            5.97            6.26  
ｄ11                1.86            3.91            8.41                    。
【０１５７】
実施例５
ｒ1 =  -123.809             ｄ1 =  0.70     ｎd1 =1.88300 νd1 =40.76 
ｒ2 =     6.941             ｄ2 =  0.99     
ｒ3 =     9.801 （非球面）  ｄ3 =  1.63     ｎd2 =1.84666 νd2 =23.78 
ｒ4 =    29.771 （非球面）  ｄ4 = （可変）  
ｒ5 =     ∞（絞り）        ｄ5 = -0.52     
ｒ6 =     3.591 （非球面）  ｄ6 =  1.97     ｎd3 =1.49700 νd3 =81.54 
ｒ7 =   -23.495             ｄ7 =  0.50     ｎd4 =1.92286 νd4 =18.90 
ｒ8 =   -93.239             ｄ8 =  1.79     ｎd5 =1.51633 νd5 =64.14 
ｒ9 =  -160.642 （非球面）  ｄ9 = （可変）  
ｒ10=   -16.790 （非球面）  ｄ10=  0.80     ｎd6 =1.50913 νd6 =56.20 
ｒ11=    22.686 （非球面）  ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.40     
ｒ16=     ∞（像面）        
非球面係数
第３面
Ｋ  =  0.000
Ａ4 = -2.75036×10-4
Ａ6 = -3.07840×10-5
Ａ8 =  1.58082×10-6
Ａ10= -3.29070×10-8
第４面
Ｋ  =  0.000
Ａ4 = -3.71542×10-4
Ａ6 = -3.43210×10-5
Ａ8 =  2.04735×10-6
Ａ10= -5.01217×10-8
第６面
Ｋ  =  0.000
Ａ4 = -4.17928×10-4
Ａ6 =  2.46517×10-5
Ａ8 =  2.80412×10-6
Ａ10= -3.23125×10-7
第９面
Ｋ  =  0.000
Ａ4 =  4.85479×10-3
Ａ6 =  4.60043×10-4
Ａ8 = -8.22251×10-6
Ａ10=  1.98515×10-5
第１０面
Ｋ  =  0.000
Ａ4 = -2.47640×10-3
Ａ6 = -2.34974×10-4
Ａ8 =  1.88850×10-4
Ａ10= -1.61128×10-5
第１１面
Ｋ  =  0.000
Ａ4 = -1.93357×10-3
Ａ6 = -1.52885×10-4
Ａ8 =  1.29934×10-4
Ａ10= -1.10625×10-5
ズームデータ（∞）
ＷＥ            ＳＴ            ＴＥ
ｆ (mm)             6.812          11.596          19.749 
ＦNO                3.33            4.32            5.80  
ｄ4                12.84            5.76            0.92  
ｄ9                 3.15            2.84            3.65  
ｄ11                3.85            7.17           10.57                    。
【０１５８】
実施例６
ｒ1 =-21692.039             ｄ1 =  1.00     ｎd1 =1.80610 νd1 =40.92 
ｒ2 =     8.032 （非球面）  ｄ2 =  1.37     
ｒ3 =     9.774             ｄ3 =  2.22     ｎd2 =2.00069 νd2 =25.46 
ｒ4 =    16.834             ｄ4 = （可変）  
ｒ5 =     ∞（絞り）        ｄ5 = -0.82     
ｒ6 =     4.180 （非球面）  ｄ6 =  2.46     ｎd3 =1.49700 νd3 =81.54 
ｒ7 =   -32.928             ｄ7 =  1.47     ｎd4 =1.92286 νd4 =18.90 
ｒ8 =  -955.516             ｄ8 =  1.93     ｎd5 =1.49700 νd5 =81.54 
ｒ9 =   163.416 （非球面）  ｄ9 = （可変）  
ｒ10=   -42.579 （非球面）  ｄ10=  0.80     ｎd6 =1.52511 νd6 =56.22 
ｒ11=    13.093 （非球面）  ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.41     
ｒ16=     ∞（像面）        
非球面係数
第２面
Ｋ  =  0.000
Ａ4 = -9.38394×10-6
Ａ6 =  5.54741×10-8
Ａ8 = -3.54097×10-9
Ａ10= -4.67171×10-10 
第６面
Ｋ  =  0.000
Ａ4 = -4.42518×10-4
Ａ6 = -2.07748×10-5
Ａ8 =  2.18064×10-6
Ａ10= -2.04579×10-7
第９面
Ｋ  =  0.000
Ａ4 =  2.86385×10-3
Ａ6 =  3.70120×10-4
Ａ8 = -4.41500×10-5
Ａ10=  8.47589×10-6
第１０面
Ｋ  =  0.000
Ａ4 = -5.63885×10-3
Ａ6 =  5.08036×10-4
Ａ8 = -4.05295×10-5
Ａ10=  3.08061×10-6
第１１面
Ｋ  =  0.000
Ａ4 = -5.20991×10-3
Ａ6 =  3.91246×10-4
Ａ8 = -1.66900×10-5
Ａ10=  6.24580×10-7
ズームデータ（∞）
ＷＥ            ＳＴ            ＴＥ
ｆ (mm)             8.160          13.643          23.512 
ＦNO                2.88            3.56            4.96  
ｄ4                17.18            6.85            1.22  
ｄ9                 3.96            4.61            4.33  
ｄ11                3.52            5.32           10.55                    。
【０１５９】
実施例７
ｒ1 =   -34.705             ｄ1 =  0.95     ｎd1 =1.80610 νd1 =40.92 
ｒ2 =     7.051 （非球面）  ｄ2 =  1.54     
ｒ3 =    12.304             ｄ3 =  2.07     ｎd2 =2.00069 νd2 =25.46 
ｒ4 =    52.168             ｄ4 = （可変）  
ｒ5 =     ∞（絞り）        ｄ5 = -1.18     
ｒ6 =     4.577 （非球面）  ｄ6 =  2.64     ｎd3 =1.49700 νd3 =81.54 
ｒ7 =    87.702             ｄ7 =  0.60     ｎd4 =1.80810 νd4 =22.76 
ｒ8 =    14.053             ｄ8 =  2.21     ｎd5 =1.49700 νd5 =81.54 
ｒ9 =   -65.670 （非球面）  ｄ9 = （可変）  
ｒ10=   -22.159 （非球面）  ｄ10=  0.80     ｎd6 =1.52542 νd6 =55.78 
ｒ11=   130.774 （非球面）  ｄ11= （可変）  
ｒ12=     ∞                ｄ12=  0.50     ｎd7 =1.53996 νd7 =59.45 
ｒ13=     ∞                ｄ13=  0.50     
ｒ14=     ∞                ｄ14=  0.50     ｎd8 =1.51633 νd8 =64.14 
ｒ15=     ∞                ｄ15=  0.42     
ｒ16=     ∞（像面）        
非球面係数
第２面
Ｋ  =  0.000
Ａ4 = -2.39358×10-4
Ａ6 = -5.68999×10-6
Ａ8 =  1.10603×10-7
Ａ10= -4.44730×10-9
第６面
Ｋ  =  0.000
Ａ4 = -2.30366×10-4
Ａ6 =  8.36646×10-7
Ａ8 =  9.08393×10-8
Ａ10=  0
第９面
Ｋ  =  0.000
Ａ4 =  2.56285×10-3
Ａ6 =  2.19102×10-5
Ａ8 =  4.74149×10-5
Ａ10= -7.24474×10-6
Ａ12=  6.43200×10-7
第１０面
Ｋ  =  0.000
Ａ4 =  1.96811×10-4
Ａ6 = -1.09241×10-4
Ａ8 =  9.88849×10-6
Ａ10= -2.12643×10-7
第１１面
Ｋ  =  0.000
Ａ4 =  1.82798×10-4
Ａ6 = -4.12618×10-5
Ａ8 = -2.94854×10-7
Ａ10=  0
ズームデータ（∞）
ＷＥ            ＳＴ            ＴＥ
ｆ (mm)             8.157          13.668          23.513 
ＦNO                2.88            3.70            5.04  
ｄ4                15.90            7.41            1.58  
ｄ9                 3.13            2.89            4.38  
ｄ11                7.19           11.42           15.92                    。
【０１６０】
実施例８
ｒ1 =    50.852             ｄ1 =  0.90     ｎd1 =1.80610 νd1 =40.92 
ｒ2 =     5.799 （非球面）  ｄ2 =  1.89     
ｒ3 =     9.201             ｄ3 =  1.76     ｎd2 =2.00069 νd2 =25.46 
ｒ4 =    16.258             ｄ4 = （可変）  
ｒ5 =     ∞（絞り）        ｄ5 = -0.60     
ｒ6 =     5.636 （非球面）  ｄ6 =  2.63     ｎd3 =1.74320 νd3 =49.34 
ｒ7 =    11.974             ｄ7 =  1.71     ｎd4 =1.80518 νd4 =25.42 
ｒ8 =     4.090             ｄ8 =  1.25     ｎd5 =1.58313 νd5 =59.38 
ｒ9 =    13.539 （非球面）  ｄ9 = （可変）  
ｒ10=    18.182 （非球面）  ｄ10=  1.50     ｎd6 =1.52542 νd6 =55.78 
ｒ11=   -61.937             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.49     
ｒ16=     ∞（像面）        
非球面係数
第２面
Ｋ  = -1.118
Ａ4 =  4.40772×10-4
Ａ6 = -1.79165×10-7
Ａ8 =  6.84992×10-8
Ａ10= -4.27115×10-10 
第６面
Ｋ  = -0.831
Ａ4 =  5.53954×10-4
Ａ6 = -6.08508×10-7
Ａ8 =  1.25836×10-6
Ａ10= -3.07335×10-8
第９面
Ｋ  =  0.000
Ａ4 =  1.86701×10-3
Ａ6 =  9.48986×10-5
Ａ8 = -1.36654×10-7
Ａ10=  1.56679×10-6
第１０面
Ｋ  =  0.000
Ａ4 = -7.43754×10-5
Ａ6 =  7.82756×10-6
Ａ8 =  0
Ａ10=  0
ズームデータ（∞）
ＷＥ            ＳＴ            ＴＥ
ｆ (mm)             7.904          15.227          22.840 
ＦNO                2.97            3.93            4.95  
ｄ4                16.00            4.96            1.00  
ｄ9                 3.47            3.89            5.15  
ｄ11                7.19           12.46           17.93                    。
【０１６１】
実施例９
ｒ1 =   -55.947             ｄ1 =  0.90     ｎd1 =1.80610 νd1 =40.92 
ｒ2 =     6.646 （非球面）  ｄ2 =  1.62     
ｒ3 =    11.161             ｄ3 =  1.82     ｎd2 =2.00069 νd2 =25.46 
ｒ4 =    30.512             ｄ4 = （可変）  
ｒ5 =     ∞（絞り）        ｄ5 = -0.67     
ｒ6 =     5.808 （非球面）  ｄ6 =  3.51     ｎd3 =1.74320 νd3 =49.34 
ｒ7 =    16.319             ｄ7 =  0.60     ｎd4 =1.84666 νd4 =23.78 
ｒ8 =     5.200             ｄ8 =  1.36     ｎd5 =1.58313 νd5 =59.38 
ｒ9 =    26.430 （非球面）  ｄ9 = （可変）  
ｒ10=    24.745 （非球面）  ｄ10=  1.24     ｎd6 =1.52542 νd6 =55.78 
ｒ11=  7929.558             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.46     
ｒ16=     ∞（像面）        
非球面係数
第２面
Ｋ  = -3.702
Ａ4 =  1.29210×10-3
Ａ6 = -2.94031×10-5
Ａ8 =  6.63852×10-7
Ａ10= -7.48401×10-9
第６面
Ｋ  = -2.011
Ａ4 =  1.29270×10-3
Ａ6 = -8.81428×10-6
Ａ8 =  1.57107×10-6
Ａ10= -3.88466×10-8
第９面
Ｋ  =  0.000
Ａ4 =  1.94125×10-3
Ａ6 =  3.03189×10-5
Ａ8 =  1.16357×10-5
Ａ10=  1.55401×10-7
第１０面
Ｋ  =  0.000
Ａ4 = -1.01517×10-4
Ａ6 =  5.70765×10-6
Ａ8 =  0
Ａ10=  0
ズームデータ（∞）
ＷＥ            ＳＴ            ＴＥ
ｆ (mm)             7.511          14.600          21.633 
ＦNO                2.88            3.86            4.84  
ｄ4                15.42            4.74            1.07  
ｄ9                 4.10            4.19            4.41  
ｄ11                6.28           11.59           16.78                    。
【０１６２】
実施例１０
ｒ1 =  -200.434             ｄ1 =  0.90     ｎd1 =1.80610 νd1 =40.92 
ｒ2 =     6.474 （非球面）  ｄ2 =  1.53     
ｒ3 =     9.933             ｄ3 =  2.02     ｎd2 =2.00069 νd2 =25.46 
ｒ4 =    21.902             ｄ4 = （可変）  
ｒ5 =     ∞（絞り）        ｄ5 = -0.63     
ｒ6 =     5.753 （非球面）  ｄ6 =  2.06     ｎd3 =1.80610 νd3 =40.92 
ｒ7 =    35.230             ｄ7 =  1.27     ｎd4 =1.84666 νd4 =23.78 
ｒ8 =     5.202             ｄ8 =  2.06     ｎd5 =1.58313 νd5 =59.38 
ｒ9 =    16.552 （非球面）  ｄ9 = （可変）  
ｒ10=    14.000 （非球面）  ｄ10=  1.24     ｎd6 =1.52542 νd6 =55.78 
ｒ11=    41.056             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.43     
ｒ16=     ∞（像面）        
非球面係数
第２面
Ｋ  = -3.501
Ａ4 =  1.39590×10-3
Ａ6 = -2.94154×10-5
Ａ8 =  6.73010×10-7
Ａ10= -7.13429×10-9
第６面
Ｋ  = -2.429
Ａ4 =  1.61259×10-3
Ａ6 = -1.94631×10-5
Ａ8 =  2.01443×10-6
Ａ10= -5.44542×10-8
第９面
Ｋ  = -4.333
Ａ4 =  2.27790×10-3
Ａ6 =  1.03782×10-5
Ａ8 =  2.09837×10-5
Ａ10= -4.69417×10-7
第１０面
Ｋ  =  0.000
Ａ4 = -1.47199×10-4
Ａ6 =  5.67379×10-6
Ａ8 =  4.82046×10-7
Ａ10= -1.84788×10-8
ズームデータ（∞）
ＷＥ            ＳＴ            ＴＥ
ｆ (mm)             7.512          14.376          21.635 
ＦNO                2.88            3.78            4.76  
ｄ4                16.35            5.11            1.03  
ｄ9                 4.20            4.23            4.65  
ｄ11                5.83           10.66           15.58                    。
【０１６３】
実施例１１
ｒ1 =    31.493             ｄ1 =  1.00     ｎd1 =1.80610 νd1 =40.92 
ｒ2 =     4.015 （非球面）  ｄ2 =  1.36     
ｒ3 =     6.467 （非球面）  ｄ3 =  1.80     ｎd2 =1.84666 νd2 =23.78 
ｒ4 =    13.950             ｄ4 = （可変）  
ｒ5 =     ∞（絞り）        ｄ5 = -0.45     
ｒ6 =     3.743 （非球面）  ｄ6 =  1.30     ｎd3 =1.74320 νd3 =49.34 
ｒ7 =    20.976             ｄ7 =  0.50     ｎd4 =1.71736 νd4 =29.52 
ｒ8 =     3.002             ｄ8 =  2.03     ｎd5 =1.51633 νd5 =64.14 
ｒ9 =     9.297 （非球面）  ｄ9 = （可変）  
ｒ10=    19.045 （非球面）  ｄ10=  1.00     ｎd6 =1.52511 νd6 =56.23 
ｒ11=  -241.584 （非球面）  ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.42     
ｒ16=     ∞（像面）        
非球面係数
第２面
Ｋ  = -0.788
Ａ4 =  5.88309×10-4
Ａ6 =  1.25094×10-5
Ａ8 = -6.84764×10-8
Ａ10=  1.92475×10-9
第３面
Ｋ  =  0.000
Ａ4 =  2.80805×10-10 
Ａ6 =  7.99547×10-7
Ａ8 = -3.58622×10-12 
Ａ10=  0
第６面
Ｋ  = -1.016
Ａ4 =  2.19556×10-3
Ａ6 =  9.52058×10-5
Ａ8 =  2.20537×10-6
Ａ10= -7.19757×10-8
第９面
Ｋ  =  0.000
Ａ4 =  6.49949×10-3
Ａ6 =  6.51196×10-4
Ａ8 =  8.19880×10-5
Ａ10=  1.62716×10-5
第１０面
Ｋ  =  0.000
Ａ4 = -8.16440×10-11 
Ａ6 =  4.00208×10-5
Ａ8 =  1.51332×10-5
Ａ10=  2.94028×10-6
第１１面
Ｋ  =  0.000
Ａ4 =  7.72945×10-7
Ａ6 =  5.03191×10-5
Ａ8 = -1.14557×10-5
Ａ10=  4.64487×10-6
ズームデータ（∞）
ＷＥ            ＳＴ            ＴＥ
ｆ (mm)             5.530          10.000          16.036 
ＦNO                3.48            4.49            5.80  
ｄ4                12.20            4.63            0.95  
ｄ9                 2.50            3.01            2.50  
ｄ11                4.47            7.38           12.10                    。
【０１６４】
実施例１２
ｒ1 =   -64.454             ｄ1 =  1.00     ｎd1 =1.80610 νd1 =40.92 
ｒ2 =     8.621 （非球面）  ｄ2 =  1.73     
ｒ3 =    11.128             ｄ3 =  2.00     ｎd2 =1.92286 νd2 =20.88 
ｒ4 =    19.611             ｄ4 = （可変）  
ｒ5 =     ∞（絞り）        ｄ5 = -0.60     
ｒ6 =     6.134 （非球面）  ｄ6 =  2.80     ｎd3 =1.80610 νd3 =40.92 
ｒ7 =    -9.307             ｄ7 =  0.50     ｎd4 =1.67270 νd4 =32.10 
ｒ8 =     3.844             ｄ8 =  2.63     ｎd5 =1.48749 νd5 =70.23 
ｒ9 =    10.458 （非球面）  ｄ9 = （可変）  
ｒ10=    11.453             ｄ10=  1.80     ｎd6 =1.52542 νd6 =55.78 
ｒ11=    28.905             ｄ11= （可変）  
ｒ12=     ∞                ｄ12=  0.60     ｎd7 =1.51633 νd7 =64.14 
ｒ13=     ∞                ｄ13=  0.60     
ｒ14=     ∞                ｄ14=  0.60     ｎd8 =1.51633 νd8 =64.14 
ｒ15=     ∞                ｄ15=  0.56     
ｒ16=     ∞（像面）        
非球面係数
第２面
Ｋ  = -0.790
Ａ4 =  1.13709×10-4
Ａ6 =  1.36096×10-6
Ａ8 = -5.03816×10-8
Ａ10=  1.20255×10-9
第６面
Ｋ  = -0.006
Ａ4 = -1.89441×10-4
Ａ6 = -6.95916×10-6
Ａ8 =  1.29909×10-7
Ａ10= -1.96262×10-8
第９面
Ｋ  = -2.043
Ａ4 =  1.74384×10-3
Ａ6 =  3.87068×10-5
Ａ8 =  2.76989×10-6
Ａ10= -2.97263×10-8
ズームデータ（∞）
ＷＥ            ＳＴ            ＴＥ
ｆ (mm)             8.257          11.083          23.726 
ＦNO                2.85            3.22            4.89  
ｄ4                14.53            9.25            1.00  
ｄ9                 3.91            4.26            6.65  
ｄ11                5.62            7.45           15.70                    。
【０１６５】
実施例１３
ｒ1 =  -120.395             ｄ1 =  1.00     ｎd1 =1.80610 νd1 =40.92 
ｒ2 =     7.653 （非球面）  ｄ2 =  1.60     
ｒ3 =    10.272             ｄ3 =  1.60     ｎd2 =1.92286 νd2 =20.88 
ｒ4 =    19.021             ｄ4 = （可変）  
ｒ5 =     ∞（絞り）        ｄ5 = -0.60     
ｒ6 =     6.092 （非球面）  ｄ6 =  2.70     ｎd3 =1.80610 νd3 =40.92 
ｒ7 =    -8.957             ｄ7 =  0.50     ｎd4 =1.67270 νd4 =32.10 
ｒ8 =     3.826             ｄ8 =  2.00     ｎd5 =1.49700 νd5 =81.54 
ｒ9 =     9.512 （非球面）  ｄ9 = （可変）  
ｒ10=    14.529             ｄ10=  1.60     ｎd6 =1.51633 νd6 =64.14 
ｒ11=   507.947             ｄ11= （可変）  
ｒ12=     ∞                ｄ12=  0.60     ｎd7 =1.51633 νd7 =64.14 
ｒ13=     ∞                ｄ13=  0.60     
ｒ14=     ∞                ｄ14=  0.60     ｎd8 =1.51633 νd8 =64.14 
ｒ15=     ∞                ｄ15=  0.53     
ｒ16=     ∞（像面）        
非球面係数
第２面
Ｋ  = -0.481
Ａ4 =  5.33432×10-5
Ａ6 =  1.31789×10-6
Ａ8 = -1.87256×10-8
Ａ10= -4.79094×10-11 
第６面
Ｋ  = -0.117
Ａ4 = -9.87240×10-5
Ａ6 = -5.15054×10-6
Ａ8 =  1.80533×10-7
Ａ10= -2.13356×10-8
第９面
Ｋ  = -0.377
Ａ4 =  1.63400×10-3
Ａ6 =  3.97670×10-5
Ａ8 =  2.09267×10-6
Ａ10=  1.70358×10-7
ズームデータ（∞）
ＷＥ            ＳＴ            ＴＥ
ｆ (mm)             7.793          13.201          22.406 
ＦNO                2.85            3.55            4.74  
ｄ4                15.60            6.42            1.00  
ｄ9                 3.96            4.68            7.13  
ｄ11                6.15            9.71           15.76                    。
【０１６６】
実施例１４
ｒ1 =    69.726             ｄ1 =  0.50     ｎd1 =1.69350 νd1 =53.21 
ｒ2 =     4.746             ｄ2 =  1.96     
ｒ3 =    12.885 （非球面）  ｄ3 =  1.36     ｎd2 =1.84666 νd2 =23.78 
ｒ4 =    25.844 （非球面）  ｄ4 = （可変）  
ｒ5 =     ∞（絞り）        ｄ5 = -0.50     
ｒ6 =     4.943 （非球面）  ｄ6 =  3.04     ｎd3 =1.74320 νd3 =49.34 
ｒ7 =    25.950             ｄ7 =  0.50     ｎd4 =1.71736 νd4 =29.52 
ｒ8 =     3.545             ｄ8 =  1.57     ｎd5 =1.51633 νd5 =64.14 
ｒ9 =  -140.225 （非球面）  ｄ9 = （可変）  
ｒ10=    36.103             ｄ10=  1.08     ｎd6 =1.58393 νd6 =30.21 
ｒ11=   157.196             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.60     
ｒ16=     ∞（像面）        
非球面係数
第３面
Ｋ  =  2.135
Ａ4 = -3.15464×10-4
Ａ6 = -1.04123×10-5
Ａ8 = -2.90693×10-7
Ａ10=  0
第４面
Ｋ  = -1.605
Ａ4 = -6.13441×10-4
Ａ6 = -1.89803×10-5
Ａ8 = -5.74661×10-7
Ａ10=  0
第６面
Ｋ  = -1.070
Ａ4 =  9.28135×10-4
Ａ6 =  1.60749×10-5
Ａ8 =  9.55801×10-7
Ａ10=  0
第９面
Ｋ  =  0.000
Ａ4 =  2.77025×10-3
Ａ6 =  8.45677×10-5
Ａ8 =  2.81700×10-5
Ａ10=  0
ズームデータ（∞）
ＷＥ            ＳＴ            ＴＥ
ｆ (mm)             6.108          11.768          17.644 
ＦNO                3.24            4.42            5.65  
ｄ4                10.68            3.49            0.90  
ｄ9                 3.68            3.69            3.68  
ｄ11                4.04            8.76           13.77                    。
【０１６７】
実施例１５
ｒ1 =    19.064             ｄ1 =  0.80     ｎd1 =1.77250 νd1 =49.60 
ｒ2 =     5.104             ｄ2 =  1.87     
ｒ3 =    10.613 （非球面）  ｄ3 =  1.50     ｎd2 =1.82114 νd2 =24.06 
ｒ4 =    17.740 （非球面）  ｄ4 = （可変）  
ｒ5 =     ∞（絞り）        ｄ5 = -0.50     
ｒ6 =     4.218 （非球面）  ｄ6 =  1.25     ｎd3 =1.80610 νd3 =40.92 
ｒ7 =    16.475             ｄ7 =  0.50     ｎd4 =1.72825 νd4 =28.46 
ｒ8 =     3.000             ｄ8 =  1.98     ｎd5 =1.58313 νd5 =59.38 
ｒ9 =     6.705 （非球面）  ｄ9 = （可変）  
ｒ10=    15.406 （非球面）  ｄ10=  1.20     ｎd6 =1.52511 νd6 =56.22 
ｒ11=   679.942 （非球面）  ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.40     
ｒ16=     ∞（像面）        
非球面係数
第３面
Ｋ  = -13.399 
Ａ4 =  1.00692×10-3
Ａ6 = -5.17345×10-5
Ａ8 =  2.70682×10-6
Ａ10= -8.69858×10-8
第４面
Ｋ  =  4.762
Ａ4 = -9.39622×10-4
Ａ6 =  1.08563×10-5
Ａ8 = -5.52833×10-7
Ａ10= -3.72262×10-8
第６面
Ｋ  = -1.661
Ａ4 =  2.81854×10-3
Ａ6 =  3.99977×10-5
Ａ8 =  1.43030×10-6
Ａ10=  1.39779×10-7
第９面
Ｋ  = -1.556
Ａ4 =  5.79158×10-3
Ａ6 =  5.27276×10-4
Ａ8 =  2.64149×10-7
Ａ10=  1.62265×10-5
第１０面
Ｋ  = -14.699 
Ａ4 =  1.27364×10-3
Ａ6 =  1.39733×10-4
Ａ8 =  2.54309×10-5
Ａ10= -7.92228×10-7
第１１面
Ｋ  =  0.000
Ａ4 =  6.13478×10-4
Ａ6 =  1.52095×10-4
Ａ8 =  7.94767×10-6
Ａ10=  1.36613×10-6
ズームデータ（∞）
ＷＥ            ＳＴ            ＴＥ
ｆ (mm)             6.610          12.752          19.108 
ＦNO                3.48            4.64            5.80  
ｄ4                13.97            4.45            0.90  
ｄ9                 2.98            3.71            3.63  
ｄ11                5.54            9.39           13.94                    。
【０１６８】
実施例１６
ｒ1 =    23.044             ｄ1 =  1.00     ｎd1 =1.80610 νd1 =40.92 
ｒ2 =     4.637 （非球面）  ｄ2 =  1.67     
ｒ3 =     6.786             ｄ3 =  1.58     ｎd2 =2.00069 νd2 =25.46 
ｒ4 =    10.000             ｄ4 = （可変）  
ｒ5 =     ∞（絞り）        ｄ5 = -0.50     
ｒ6 =     4.414 （非球面）  ｄ6 =  2.63     ｎd3 =1.74320 νd3 =49.34 
ｒ7 =    10.000             ｄ7 =  0.50     ｎd4 =1.80518 νd4 =25.42 
ｒ8 =     3.572             ｄ8 =  1.06     ｎd5 =1.58313 νd5 =59.38 
ｒ9 =     9.779 （非球面）  ｄ9 = （可変）  
ｒ10=    12.767 （非球面）  ｄ10=  1.20     ｎd6 =1.52511 νd6 =56.22 
ｒ11=   450.005             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.40     
ｒ16=     ∞（像面）        
非球面係数
第２面
Ｋ  = -1.086
Ａ4 =  9.62928×10-4
Ａ6 =  5.95705×10-6
Ａ8 =  3.29554×10-7
Ａ10=  1.16736×10-9
第６面
Ｋ  = -0.954
Ａ4 =  1.31409×10-3
Ａ6 =  2.98474×10-5
Ａ8 =  4.67221×10-6
Ａ10= -3.77040×10-7
第９面
Ｋ  =  0.000
Ａ4 =  3.73309×10-3
Ａ6 =  5.31664×10-4
Ａ8 = -3.88576×10-5
Ａ10=  1.32383×10-5
第１０面
Ｋ  =  0.000
Ａ4 = -2.15582×10-4
Ａ6 =  2.64093×10-5
Ａ8 =  0
Ａ10=  0
ズームデータ（∞）
ＷＥ            ＳＴ            ＴＥ
ｆ (mm)             6.615          12.686          19.116 
ＦNO                3.48            4.58            5.79  
ｄ4                13.28            4.15            0.90  
ｄ9                 3.16            3.09            3.96  
ｄ11                5.29            9.64           13.97                    。
【０１６９】
実施例１７
ｒ1 =    23.249             ｄ1 =  1.00     ｎd1 =1.80610 νd1 =40.92 
ｒ2 =     4.545 （非球面）  ｄ2 =  1.68     
ｒ3 =     6.745             ｄ3 =  1.62     ｎd2 =2.00069 νd2 =25.46 
ｒ4 =    10.000             ｄ4 = （可変）  
ｒ5 =     ∞（絞り）        ｄ5 = -0.50     
ｒ6 =     4.591 （非球面）  ｄ6 =  1.98     ｎd3 =1.80610 νd3 =40.92 
ｒ7 =    50.000             ｄ7 =  0.55     ｎd4 =1.74000 νd4 =28.30 
ｒ8 =     3.147             ｄ8 =  1.75     ｎd5 =1.58313 νd5 =59.38 
ｒ9 =     8.300 （非球面）  ｄ9 = （可変）  
ｒ10=    11.436 （非球面）  ｄ10=  1.20     ｎd6 =1.52511 νd6 =56.22 
ｒ11=    85.514             ｄ11= （可変）  
ｒ12=     ∞                ｄ12=  0.50     ｎd7 =1.51633 νd7 =64.14 
ｒ13=     ∞                ｄ13=  0.50     
ｒ14=     ∞                ｄ14=  0.50     ｎd8 =1.51633 νd8 =64.14 
ｒ15=     ∞                ｄ15=  0.40     
ｒ16=     ∞（像面）        
非球面係数
第２面
Ｋ  = -1.069
Ａ4 =  9.82367×10-4
Ａ6 =  6.13229×10-6
Ａ8 =  4.16082×10-7
Ａ10= -1.47859×10-9
第６面
Ｋ  = -1.111
Ａ4 =  1.36092×10-3
Ａ6 =  2.46840×10-5
Ａ8 =  1.69262×10-6
Ａ10= -1.16420×10-7
第９面
Ｋ  =  0.000
Ａ4 =  3.53310×10-3
Ａ6 =  2.64589×10-4
Ａ8 =  2.99098×10-5
Ａ10=  2.87001×10-6
第１０面
Ｋ  =  0.000
Ａ4 = -2.73474×10-4
Ａ6 =  2.44609×10-5
Ａ8 =  0
Ａ10=  0
ズームデータ（∞）
ＷＥ            ＳＴ            ＴＥ
ｆ (mm)             6.621          12.744          19.118 
ＦNO                3.44            4.57            5.76  
ｄ4                12.85            4.04            0.90  
ｄ9                 3.39            3.50            4.15  
ｄ11                5.08            9.49           13.99                    。
【０１７０】
以上の実施例１〜１７の無限遠物点合焦時の収差図をそれぞれ図１８〜図３４に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中、“ＦＩＹ”は最大像高を示す。
【０１７１】
次に、上記各実施例における画角、条件式（１）〜（Ｂ−２）に関するパラメータ値とレンズタイプ等を示す。
【０１７２】
条件式・パワー配置  実施例１  実施例２  実施例３  実施例４  実施例５  実施例６
（１）            0.495     0.507     0.471     0.557     0.508     0.521 
（２）            0.18      0.22      0.02      0.15      0.07      0.04  
（３）            1.33      1.60      1.44      1.31      1.26      1.21  
（４）            −        −        −        −        −        −    
（５）            1.84      5.18      2.11      3.83      2.76      2.33  
（６）            −        −        −        −        −        −    
（７）            0.041     0.044     0.050     0.041     0.041     0.034 
（Ａ）            2.89      2.90      2.91      2.90      2.90      2.88  
（Ｂ−１）        −        −        −        −        −        −    
（Ｂ−２）       -3.15     -1.26     -2.22     -0.95     -1.76     -1.71  
群タイプ          負正負    負正負    負正負    負正負    負正負    負正負
第２群接合構成    正負正    正負      正負正    正負正    正負負    正負負
条件式・パワー配置  実施例７  実施例８  実施例９  実施例10  実施例11  実施例12
（１）            0.505     0.481     0.496     0.487     0.427     0.476 
（２）            0.15      0.21      0.04      0.06      0.00      0.33  
（３）            1.42      1.62      1.60      1.55      1.62      1.58  
（４）            −        3.41      6.29      5.30      6.09      4.22  
（５）            4.41      −        −        −        −        −    
（６）            −        0.066     0.057     0.057     0.062     0.076 
（７）            0.034     −        −        −        −        −    
（Ａ）            2.88      2.89      2.88      2.88      2.90      2.87  
（Ｂ−１）        −        0.94      0.65      0.71      0.67      0.81  
（Ｂ−２）       -1.25      −        −        −        −        −    
群タイプ          負正負    負正正    負正正    負正正    負正正    負正正
第２群接合構成    正負正    正負正    正負正    正負正    正負正    正負正
条件式・パワー配置  実施例13  実施例14  実施例15  実施例16  実施例17
（１）            0.473     0.511     0.410     0.435     0.437 
（２）            0.41      0.00      0.10      0.12      0.12  
（３）            1.63      1.67      1.52      1.56      1.58
（４）            3.71     13.10      4.54      3.78      3.78  
（５）            −        −        −        −        −
（６）            0.071     0.061     0.063     0.063     0.063 
（７）            −        −        −        −        −
（Ａ）            2.88      2.89      2.89      2.89      2.89  
（Ｂ−１）        0.88      0.37      0.79      0.88      0.88  
（Ｂ−２）        −        −        −        −        −
群タイプ          負正正    負正正    負正正    負正正    負正正
第２群接合構成    正負正    正負正    正負正    正負正    正負正
。
【０１７３】
図３５〜図３７は、以上のようなズームレンズを撮影光学系４１に組み込んだ本発明によるデジタルカメラの構成の概念図を示す。図３５はデジタルカメラ４０の外観を示す前方斜視図、図３６は同後方正面図、図３７はデジタルカメラ４０の構成を示す模式的な断面図である。ただし、図３５と図３７においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図３７の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１７４】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【０１７５】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。
【０１７６】
本発明は、以上のような一般的な被写体を撮影する所謂コンパクトデジタルカメラだけでなく、広い画角が必要な監視カメラや、レンズ交換式のカメラに適用してもよい。
【図面の簡単な説明】
【０１７７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】本発明のズームレンズの実施例１２の図１と同様の図である。
【図１３】本発明のズームレンズの実施例１３の図１と同様の図である。
【図１４】本発明のズームレンズの実施例１４の図１と同様の図である。
【図１５】本発明のズームレンズの実施例１５の図１と同様の図である。
【図１６】本発明のズームレンズの実施例１６の図１と同様の図である。
【図１７】本発明のズームレンズの実施例１７の図１と同様の図である。
【図１８】実施例１の無限遠物点合焦時の収差図である。
【図１９】実施例２の無限遠物点合焦時の収差図である。
【図２０】実施例３の無限遠物点合焦時の収差図である。
【図２１】実施例４の無限遠物点合焦時の収差図である。
【図２２】実施例５の無限遠物点合焦時の収差図である。
【図２３】実施例６の無限遠物点合焦時の収差図である。
【図２４】実施例７の無限遠物点合焦時の収差図である。
【図２５】実施例８の無限遠物点合焦時の収差図である。
【図２６】実施例９の無限遠物点合焦時の収差図である。
【図２７】実施例１０の無限遠物点合焦時の収差図である。
【図２８】実施例１１の無限遠物点合焦時の収差図である。
【図２９】実施例１２の無限遠物点合焦時の収差図である。
【図３０】実施例１３の無限遠物点合焦時の収差図である。
【図３１】実施例１４の無限遠物点合焦時の収差図である。
【図３２】実施例１５の無限遠物点合焦時の収差図である。
【図３３】実施例１６の無限遠物点合焦時の収差図である。
【図３４】実施例１７の無限遠物点合焦時の収差図である。
【図３５】本発明によるデジタルカメラの外観を示す前方斜視図である。
【図３６】図３５のデジタルカメラの後方斜視図である。
【図３７】図３５のデジタルカメラの断面図である。
【符号の説明】
【０１７８】
Ｇ１…第１レンズ群
Ｇ２…第２レンズ群
Ｇ３…第３レンズ群
Ｓ…開口絞り
Ｆ…ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2007133133.tif 000003
【図２】
2007133133.tif 000004
【図３】
2007133133.tif 000005
【図４】
2007133133.tif 000006
【図５】
2007133133.tif 000007
【図６】
2007133133.tif 000008
【図７】
2007133133.tif 000009
【図８】
2007133133.tif 000010
【図９】
2007133133.tif 000011
【図１０】
2007133133.tif 000012
【図１１】
2007133133.tif 000013
【図１２】
2007133133.tif 000014
【図１３】
2007133133.tif 000015
【図１４】
2007133133.tif 000016
【図１５】
2007133133.tif 000017
【図１６】
2007133133.tif 000018
【図１７】
2007133133.tif 000019
【図１８】
2007133133.tif 000020
【図１９】
2007133133.tif 000021
【図２０】
2007133133.tif 000022
【図２１】
2007133133.tif 000023
【図２２】
2007133133.tif 000024
【図２３】
2007133133.tif 000025
【図２４】
2007133133.tif 000026
【図２５】
2007133133.tif 000027
【図２６】
2007133133.tif 000028
【図２７】
2007133133.tif 000029
【図２８】
2007133133.tif 000030
【図２９】
2007133133.tif 000031
【図３０】
2007133133.tif 000032
【図３１】
2007133133.tif 000033
【図３２】
2007133133.tif 000034
【図３３】
2007133133.tif 000035
【図３４】
2007133133.tif 000036
【図３５】
2007133133.tif 000037
【図３６】
2007133133.tif 000038
【図３７】
2007133133.tif 000039